(57)【要約】【課題】被固定物の選択の幅を狭めることなしに、固定後における被固定物からの除去をより容易にし得る固定具の提供。【解決手段】固定具は挿入部と駆動部とを備える。前記挿入部は、一方が互いに固定され或いは一体化し、他方が互いに分かれているか或いは実質的に分かれており、弾性変形可能な複数の弾性変形部を備える。前記駆動部は、前記弾性変形部のうちの少なくとも二つの前記他方における間隔を、前記一方の側から狭め得る。【選択図】      図１
2018028355.tif 000002
【特許請求の範囲】
【請求項１】
一方が互いに固定され或いは一体化し、他方が互いに分かれているか或いは実質的に分かれており、弾性変形可能な複数の弾性変形部、を備える挿入部と、
前記弾性変形部のうちの少なくとも二つの前記他方における間隔を、前記一方の側から狭め得る駆動部と、
を備える固定具。
【請求項２】
前記複数の弾性変形部が、前記他方から被固定物への挿入が行われ得る、請求項１に記載された固定具。
【請求項３】
前記挿入が、前記被固定物に形成された穴への挿入である、請求項２に記載された固定具。
【請求項４】
前記駆動部が、前記間隔を、前記穴に挿入された部分により狭め得る、請求項３に記載された固定具。
【請求項５】
前記挿入部が、前記他方の端部に向かって細くなっており前記少なくとも二つのうちの一つに接続されている先端部、を備える、請求項１乃至請求項４のうちいずれか一に記載された固定具。
【請求項６】
前記接続されている先端部が、前記少なくとも一つに接続されている部分の近傍に、前記少なくとも一つから前記少なくとも一つの側面方向にはみ出したはみ出し部を備える、請求項５に記載された固定具。
【請求項７】
前記挿入部が前記他方の端部に向かって細くなっており前記少なくとも二つのうちの各々にその各々が接続されている複数の先端部を備える、請求項１乃至請求項６のうちの一に記載された固定具。
【請求項８】
前記複数の先端部の各々が、前記少なくとも二つのうちの各々に接続されている部分の近傍に、先端部の各々から前記少なくとも二つのうちの各々の側面方向にはみ出したはみ出し部を備える、請求項７に記載された固定具。
【請求項９】
前記駆動部が、前記先端部の細い方の端から挿入された場合に前記先端部の中間で引っかかる閉じた形状及び大きさの第一部と、前記第一部を前記一方に向けて引っ張ることが可能な第二部とを備える、
請求項１乃至請求項８のうちのいずれか一に記載された固定具。
【請求項１０】
前記挿入部に前記第二部の一部を収める溝を備える請求項９に記載された固定具。
【発明の詳細な説明】
【技術分野】
【０００１】
本発明は、被固定物を固定するための固定具に関する。
【背景技術】
【０００２】
複数の被固定物に共通の固定具を通すことで互いに固定させることが一般に行われている。しかしながら、一旦互いに固定した前記複数の被固定物の固定を解除するための、前記共通の固定具の前記複数の被固定物からの除去が困難な場合がある。
【０００３】
例えば、特許文献１は、この問題を解決するために、締結部材（固定具）の引抜き移動に連れて、各係止爪を係止状態から係止解除状態に縮径変形させる複数の係止解除案内面が形成されている重合部材の締結構造を開示する。
【先行技術文献】
【特許文献】
【０００４】
【特許文献１】特開２０１１−２１４５９１号公報
【発明の概要】
【発明が解決しようとする課題】
【０００５】
特許文献１が開示する方法は、被固定物に、係止解除案内面を形成する必要がある。そのため、特許文献１が開示する方法は被固定物に所定の処理を施す必要性から、固定対象とする被固定物の選択の幅が狭められるという問題がある。
【０００６】
本発明は、被固定物の選択の幅を狭めることなしに、固定後における被固定物からの除去をより容易にし得る固定具の提供を目的とする。
【課題を解決するための手段】
【０００７】
本発明の固定具は挿入部と駆動部とを備える。前記挿入部は、一方が互いに固定され或いは一体化し、他方が互いに分かれているか或いは実質的に分かれており、弾性変形可能な複数の弾性変形部を備える。前記駆動部は、前記弾性変形部のうちの少なくとも二つの前記他方における間隔を、前記一方の側から狭め得る。
【発明の効果】
【０００８】
本発明の固定具は、被固定物の選択の幅を狭めることなしに、固定後における被固定物からの除去をより容易にし得る。
【図面の簡単な説明】
【０００９】
【図１】本実施形態の固定具の構成例を表す概念図である。
【図２】挿入部の構成例を表す概念図である。
【図３】駆動部の構成例を表す概念図である。
【図４】固定具を用いて板を固定させた状態を表す図である。
【図５】固定具を用いて板を固定する動作を表す図（その１）である。
【図６】固定具を用いて板を固定する動作を表す図（その２）である。
【図７】固定具を用いて板を固定する動作を表す図（その３）である。
【図８】固定具を用いて板を固定する動作を表す図（その４）である。
【図９】板の固定を解除する動作を表す図（その１）である。
【図１０】板の固定を解除する動作を表す図（その２）である。
【図１１】板の固定を解除する動作を表す図（その３）である。
【図１２】変形部を備える固定具の構成例を表す概念図である。
【図１３】２枚の板を変形部を備える固定具で固定した状態を表す図である。
【図１４】つまみ部を設けた固定具の構成例を表す概念図である。
【図１５】先端部の最上部の径が軸部の径に等しい固定具の構成例を表す図である。
【図１６】本発明の固定具の最小限の構成を表すブロック図である。
【発明を実施するための形態】
【００１０】
［構成と動作］
図１は、本実施形態の固定具の例である固定具１１ａの構成を表す概念図である。図１（ａ）は固定具１１ａの側面図である。図１（ｂ）は、固定具１１ａの、図１（ａ）に表す矢印９１ｂの方向を見た場合を想定した図である。また、図１（ｃ）は、固定具１１ａの、図１（ａ）に表す矢印９１ａの向きを見た場合を想定した図である。また、図１（ｄ）は、固定具１１ａの、図１（ａ）に表す矢印９１ｃの方向を見た場合を想定した図である。
【００１１】
固定具１１ａは、挿入部２１ａと駆動部２２ａとを備える。
【００１２】
挿入部２１ａ及び駆動部２２ａの構成及び固定具１１ａの動作については後述する。
【００１３】
図２は、挿入部２１ａの構成例を表す概念図である。図２（ａ）乃至（ｄ）は、この順に、挿入部２１ａの図１（ａ）乃至（ｄ）と同じ向きを見た場合を想定した図である。
【００１４】
挿入部２１ａは、止め部２１１ａと、軸部２１２ａと、先端部２１３ａａ、２１３ａｂとを備える。
【００１５】
軸部２１２ａは、固定部２１２ｃと、弾性部２１２ａａ、２１２ａｂとを備える。
【００１６】
止め部２１１ａには、切欠部２１６ａａ、２１６ａｂが形成されている。また、固定部２１２ｃには、切欠部２１６ｂａ、２１６ｂｂが形成されている。切欠部２１６ａａ、２１６ａｂ、２１６ｂａ、２１６ｂｂは、図１（ａ）乃至（ｄ）に表すように、駆動部２２ａの一部が挿入部２１ａに収まる部分である。
【００１７】
軸部２１２ａの固定部２１２ｃは止め部２１１ａに固定されている。固定部２１２ｃと止め部２１１ａとは一体的な構造であっても構わない。
【００１８】
弾性部２１２ａａの端部７９ａａと、弾性部２１２ａｂの端部７９ａｂとは、固定部２１２ｃの下面に固定されている。なお、本実施形態における上下左右は、各図面に向かってみた上下左右とする。弾性部２１２ａａ、２１２ａｂと固定部２１２ｃとは一体的な構造であっても構わない。
【００１９】
弾性部２１２ａａの端部７９ｂａには先端部２１３ａａが固定されている。弾性部２１２ａａと先端部２１３ａａとは一体的な構造であっても構わない。
【００２０】
弾性部２１２ａｂの端部７９ｂｂには先端部２１３ａｂが固定されている。弾性部２１２ａｂと先端部２１３ａｂとは一体的な構造であっても構わない。
【００２１】
図２（ｄ）には、各部分の径が表してある。これらの径は、切欠部２１６ａａ、２１６ａｂ、２１６ｂａ、２１６ｂｂ、弾性部２１２ａａ、２１２ａｂ間の隙間及び先端部２１３ａａ、２１３ａｂ間の間隔を無視した場合を想定した、各部分の径である。
【００２２】
止め部２１１ａの径８１ｄは、弾性部２１２ａａ、２１２ａｂの径８１ｂより大きい。また、先端部２１３ａａ、２１３ａｂの図２（ａ）に表す最上部の径８１ｃ、すなわち、図２（ａ）に表す箇所９６ａと箇所９６ｂとの距離は、弾性部２１２ａａ、２１２ａｂの径８１ｂより大きい。また、先端部２１３ａａ、２１３ａｂの図２（ａ）における最下部の径８１ａ、すなわち、図２（ａ）に表す箇所９６ｅと箇所９６ｆとの距離は、弾性部２１２ａａ、２１２ａｂの径８１ｂより小さい。
【００２３】
図３は、駆動部２２ａの構成を表す概念図である。
【００２４】
図３（ａ）乃至（ｄ）は、この順に、駆動部２２ａの図１（ａ）乃至（ｄ）と同じ向きを見た場合を想定した図である。
【００２５】
駆動部２２ａは、引張部２２１ａと輪部２２２ａとを備える。
【００２６】
輪部２２２ａは、略輪状の物である。輪部２２２ａの、断面形状及び断面の大きさは任意に設定できる。そして、輪部２２２ａの内径は、図１（ａ）乃至（ｄ）に表すように、図２（ｄ）に表す径８１ａと、径８１ｃとの間である。ここで、径８１ａは、先端部２１３ａａ、２１３ａｂの図２（ａ）における最下部の径、すなわち、図２（ａ）に表す箇所９６ｅと箇所９６ｆとの距離である。また、径８１ｃは、先端部２１３ａａ、２１３ａｂの図２（ａ）における最上部の径、すなわち、図２（ａ）に表す箇所９６ａと箇所９６ｂとの距離である。
【００２７】
引張部２２１ａは、典型的には線状である。
【００２８】
引張部２２１ａの端部７９ｃａと端部７９ｃｂとは、図３（ａ）乃至（ｄ）に表すように、輪部２２２ａの略対称な位置に接続されている。
【００２９】
次に、図１に表す固定具１１ａを用いた、所定の穴の開いた一対の板の固定例について、説明する。
【００３０】
図４は、図１に表す固定具１１ａを用いて、所定の穴の開いた一対の板を固定した状態を表す図である。図４（ａ）乃至（ｄ）は、この順に、図１（ａ）乃至（ｄ）と同じ向きを見た場合を想定した図である。
【００３１】
板８６ａは、略円筒状の穴である穴７１ａを備える。また、板８６ｂは、略円筒状の穴である穴７１ｂを備える。穴７１ａ及び穴７１ｂの径は、共に、図２（ｄ）に表す径８１ｂより大きく、径８１ｃより小さい。ここで径８１ｂは、弾性部２１２ａａ、２１２ａｂの径である。また、径８１ｃは、先端部２１３ａａ、２１３ａｂの図４（ａ）における最上部の径、すなわち、箇所９６ａと箇所９６ｂの距離である。
【００３２】
固定部２１２ｃ及び弾性部２１２ａａ、２１２ａｂは、穴７１ａ、７１ｂの内部に収まるが、止め部２１１ａ及び先端部２１３ａａ、２１３ａｂは穴７１ａ、７１ｂの外に位置する。そして、板８６ａ、８６ｂの穴７１ａ及び７１ｂの近傍の部分は、止め部２１１ａの下端である端部７９ｄと、先端部２１３ａａの上端である端部７９ｅａ及び先端部２１３ａｂの上端である端部７９ｅｂとの間に、上下方向の移動が制限される。なお、本実施形態において「固定」は、所定の範囲に移動を制限することをいうことにする。
【００３３】
次に、図５乃至図８を参照して、固定具１１ａを用いて、板８６ａ、８６ｂを固定する動作について説明する。
【００３４】
図５は、固定具１１ａを穴７１ａ、７１ｂに挿入する前の状態を表す図である。
【００３５】
板８６ａ、８６ｂの穴７１ａ及び穴７１ｂは、図に向かって左右方向及び奥行方向の位置が略一致するように重ねて設置されている。この状態から、固定具１１ａを、先端部２１３ａａ、２１３ａｂが穴７１ａに挿入されるように、矢印９１ａが表す向きに下降させる。
【００３６】
固定具１１ａは、当該下降の結果、図６に表すように、先端部２１３ａａ、２１３ａｂが、板８６ａの位置９８ａ、９８ｂに当たる。
【００３７】
先端部２１３ａａの位置９８ｂに当たった部分は、矢印９１ａの逆向きの力と矢印９１ｂの逆向きの力を受ける。先端部２１３ａａは弾性部２１２ａａに固定されている。そして、弾性部２１２ａａは矢印９１ｂの逆向きに弾性変形できる。そのため、先端部２１３ａａの位置９８ｂに当たった部分は、弾性部２１２ａａの矢印９１ｂの逆向きの弾性変形により矢印９１ｂの逆向きに移動する。
【００３８】
先端部２１３ａｂの位置９８ａに当たった部分は、矢印９１ａの逆向きの力と矢印９１ｂの向きの力を受ける。先端部２１３ａｂは弾性部２１２ａｂに固定されている。そして、弾性部２１２ａｂは矢印９１ｂの向きに弾性変形できる。そのため、先端部２１３ａｂの位置９８ａに当たった部分は、弾性部２１２ａｂの矢印９１ｂの向きの弾性変形により矢印９１ｂの向きに移動する。
【００３９】
こうして、弾性部２１２ａａ及び弾性部２１２ａｂの弾性変形により、図７に表すように、先端部２１３ａａ及び先端部２１３ａｂは、穴７１ａ、７１ｂに挿入され、下降する。
【００４０】
そして、先端部２１３ａａの箇所９６ｂ及び先端部２１３ａｂの箇所９６ａが、板８６ｂの位置９８ｄ、９８ｃより下方に位置すると、弾性部２１２ａａ、２１２ａｂの弾性変形が戻る。そして、固定具１１ａ及び板８６ａ、８６ｂの組合せは、図８に表すような、前述の図４に表す状態と同じ状態になる。
【００４１】
次に、図９乃至図１１を参照して、図８及び図４に表す状態から、固定具１１ａを取り除き、板８６ａ、８６ｂの固定を解除する動作について説明する。
【００４２】
まず、図９に表すように、引張部２２１ａの箇所３７ａに対し矢印９１ｅの向きの力を加える。当該力を加える際、挿入部２１ａは動かさないこととする。すると、引張部２２１ａに結合された輪部２２２ａに対し、矢印９１ｅの向きの力が加えられ、輪部２２２ａは、先端部２１３ａａの箇所９６ｄ及び先端部２１３ａｂの箇所９６ｃに当たる。そして、輪部２２２ａは、先端部２１３ａａに対し矢印９１ｂの逆向きの力、先端部２１３ａｂに対し矢印９１ｂの向きの力を、それぞれ加える。
【００４３】
先端部２１３ａａ、２１３ａｂに加えられる力により、弾性部２１２ａａ、２１２ａｂは弾性変形する。当該弾性変形により、固定具１１ａは、図１０に表すような状態になる。当該状態の固定具１１ａの先端部２１３ａａ、２１３ａｂは矢印９１ｅの向きに、穴７１ｂ、７１ａに挿入可能になる。
【００４４】
挿入部２１ａに対し矢印９１ｅの向きの力を加えたまま、挿入部２１ａを上昇させることにより、固定具１１ａは穴７１ｂ、７１ａを通り抜ける。その結果、固定具１１ａと板８６ａ、８６ｂの組合せは、図１１に表す状態になる。すなわち、板８６ａ、８６ｂは、固定具１１ａにより固定された状態から解放される。
【００４５】
固定具１１ｂは、板と止め部との間の隙間に挿入されることが想定された弾性部を備えていても構わない。
【００４６】
図１２は、変形部を備える固定具の例である固定具１１ｂの構成を表す概念図である。固定具１１ｂは、図１乃至図３に表す固定具１１ａの構成に加えて、変形部２３１ａを備える。変形部２３１ａは、軸部２１２ａの軸の周りを囲んで設置される。そして、変形部２３１ａは、上下方向に弾性変形することが可能である。変形部２３１ａとしては、例えばバネやゴム等の弾性部材を用いることができる。図１２には、ばね形状の変形部２３１ａを例として表してある。
【００４７】
図１３は、所定の穴を設けた２枚の板を固定具１１ｂで固定した状態を表す概念図である。変形部２３１ａは上下方向に縮んだ状態で、止め部２１１ａと板８６ａとの間に挿入されている。変形部２３１ａは上下方向に縮んだ状態にあるため、先端部２１３ａａ、２１３ａｂと止め部２１１ａとの間に位置する板８６ａ、８６ｂに対し、下向きの弾性力を加え続ける。そのため、板８６ａ、８６ｂの穴７１ａ、７１ｂ近傍の部分は、前記弾性力により、上下方向の移動が一層制限される。すなわち、板８６ａ、８６ｂの穴７１ａ、７１ｂ近傍の部分のがたつきが抑えられる。
【００４８】
引張部を引上げやすくするつまみ部を設けることも想定され得る。
【００４９】
図１４は、つまみ部を設けた固定具の例である固定具１１ｃの構成を表す概念図である。
【００５０】
固定具１１ｃは、図１２に表す固定具１１ｂの構成に加えて、つまみ部２４１ａを備える。つまみ部２４１ａは、引張部２２１ａの箇所３７ａの下方に位置し、止め部２１１ａ上に止め部２１１ａとは分離され設置されている。そのため、つまみ部２４１ａを止め部２１１ａに対して相対的に上向きに移動させることにより、容易に、引張部２２１ａに矢印９１ｅの向きの力を加えることができる。そのため、固定具１１ｃは、引張部２２１ａに矢印９１ｅの向きに力を加えることにより、箇所９６ｅと箇所９６ｆとを近づける動作をより容易に行わせることが可能である。
【００５１】
先端部の最上部の径は必ずしも軸部の径より大きい必要はない。
【００５２】
図１５は、先端部の最上部の径が軸部の径に等しい固定具の例である、固定具１１ｄの構成を表す図である。
【００５３】
先端部２１３ｂａ、２１３ｂｂの最上部である箇所９６ｉ、箇所９６ｊは、弾性部２１２ｂａ、２１２ｂｂに対して横方向に張り出していない。
【００５４】
図１５に表すような、先端部の最上部の径が軸部の径より大きくない場合であっても、挿入された穴から固定具１１ｄを抜き取ることを容易にする効果は得られる。引張部２２１ａに矢印９１ｅの向きの力を加えることにより、弾性部２１２ａａ、２１２ａｂの径を小さくし、穴の側壁と弾性部２１２ａａ、２１２ａｂの径との間隔を広げることができるためである。
【００５５】
本実施形態の固定具は、引張部を引き上げることにより、弾性部や先端部の径を小さくすることができる。そのため、本実施形態の固定具は、挿入する穴に特別な加工を行わない場合であっても、挿入した穴から容易に抜き取ることができるという効果を奏する。
【００５６】
図１及び図２に表すように、先端部の最上部が軸部２１２ａの横方向に張り出している場合には、一般的な固定具は、基板の、当該固定具を挿入した側から、当該固定具を抜き取ることが困難である。当該固定具を抜き取るために、基板の当該固定具を挿入した側の反対側からの作業が必要になる場合もあり得る。本実施形態の固定具は、図１及び図２に表すように、先端部の最上部が軸部２１２ａより張り出している場合でも、基板の、本実施形態の固定具を挿入した側から、本実施形態の固定具を抜き取ることを容易にし得る。
［効果］
本実施形態の固定具は、引張部を引き上げることにより、弾性部や先端部の径を小さくすることができる。そのため、本実施形態の固定具は、挿入する穴に特別な加工を行わない場合であっても、挿入した穴から容易に抜き取ることができる。
【００５７】
なお、以上の説明では、固定具を挿入する穴の形状が円柱状で、固定具の形状も当該穴の形状に合わせた形状の場合を例に説明した。しかしながら、固定具を挿入する穴の形状としては種々の形状が想定でき、固定具の形状も穴の形状により種々の形状を選択することが可能である。
【００５８】
図１６は、本発明の固定具の最小限の構成である固定具１１ｘを表すブロック図である。
【００５９】
固定具１１ｘは、挿入部２１ｘと駆動部２２ｘとを備える。
【００６０】
挿入部２１ｘは、一方が互いに固定され或いは一体化し、他方が互いに分かれているか或いは実質的に分かれており、弾性変形可能な図示しない複数の弾性変形部を備える。ここで、挿入部２１ｘの他方が互いに「実質的に分かれている」は、当該他方の一部はつながっており、かつ、当該他方の大部分は分かれていることをいう。
【００６１】
駆動部２２ｘは、前記弾性変形部のうちの少なくとも二つの前記他方における間隔を、前記一方の側から狭め得る。
【００６２】
上述のように、固定具１１ｘは、前記弾性変形部のうちの少なくとも二つの前記他方における間隔を、駆動部２２ｘにより、前記一方の側から狭め得る。そのため、固定具１１ｘは、挿入した固定具１１ｘを、前記一方の側から除去することをより容易にすることができる。
【００６３】
そのため、固定具１１ｘは、上記構成により、［発明の効果］の項に記載した効果を奏する。
【００６４】
以上、本発明の各実施形態を説明したが、本発明は、上記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００６５】
また、上記の実施形態の一部または全部は、以下の付記のようにも記述され得るが、以下には限られない。
【００６６】
（付記Ａ１）
一方が互いに固定され或いは一体化し、他方が互いに分かれているか或いは実質的に分かれており、弾性変形可能な複数の弾性変形部、を備える挿入部と、
前記弾性変形部のうちの少なくとも二つの前記他方における間隔を、前記一方の側から狭め得る駆動部と、
を備える固定具。
【００６７】
（付記Ａ１．１）
前記複数の弾性変形部が、前記他方から被固定物への挿入が行われ得る、付記Ａ１に記載された固定具。
【００６８】
（付記Ａ１．２）
前記挿入が、前記被固定物に形成された穴への挿入である、付記Ａ１．１に記載された固定具。
【００６９】
（付記Ａ１．３）
前記駆動部が、前記間隔を、前記穴に挿入された部分により狭め得る、付記Ａ１．２に記載された固定具。
【００７０】
（付記Ａ２）
前記少なくとも二つが二つである、付記Ａ１又は付記Ａ１．１に記載された固定具。
【００７１】
（付記Ａ３）
前記挿入部が、前記他方の端部に向かって細くなっており前記少なくとも二つのうちの一つに接続されている先端部、を備える、付記Ａ１乃至付記Ａ２のうちのいずれか一に記載された固定具。
【００７２】
（付記Ａ４）
前記接続されている先端部が、前記少なくとも一つに接続されている部分の近傍に、前記少なくとも一つから前記少なくとも一つの側面方向にはみ出したはみ出し部を備える、付記Ａ３に記載された固定具。
【００７３】
（付記Ａ５）
前記挿入部が前記他方の端部に向かって細くなっており前記少なくとも二つのうちの各々にその各々が接続されている複数の先端部を備える、付記Ａ１乃至付記Ａ４のうちの一に記載された固定具。
【００７４】
（付記Ａ６）
前記複数の先端部の各々が、前記少なくとも二つのうちの各々に接続されている部分の近傍に、先端部の各々から前記少なくとも二つのうちの各々の側面方向にはみ出したはみ出し部を備える、付記Ａ５に記載された固定具。
【００７５】
（付記Ａ７）
前記駆動部が、前記先端部の細い方の端から挿入された場合に前記先端部の中間で引っかかる閉じた形状及び大きさの第一部と、前記第一部を前記一方に向けて引っ張ることが可能な第二部とを備える、
付記Ａ１乃至付記Ａ６のうちのいずれか一に記載された固定具。
【００７６】
（付記Ａ８）
前記第一部が輪状である付記Ａ７に記載された固定具。
【００７７】
（付記Ａ９）
前記挿入部に前記第二部の一部を収める溝を備える付記Ａ７又は付記Ａ８に記載された固定具。
【００７８】
（付記Ａ９．１）
前記第一部を前記一方に向けて引っ張るためのつまみ部をさらに備える付記Ａ７乃至付記Ａ９のうちのいずれか一に記載された固定具。
【００７９】
（付記Ａ１０）
前記挿入部が、前記一方に、外側に張り出した止め部を備える、付記Ａ１乃至付記Ａ９のうちのいずれか一に記載された固定具。
【００８０】
（付記Ａ１１）
前記挿入部の周囲に変形部を備える付記Ａ１０に記載された固定具。
【００８１】
（付記Ａ１２）
前記変形部が弾性を有する付記１１に記載された固定具。
【００８２】
（付記Ａ１３）
前記変形部がバネである、付記Ａ１１又は付記Ａ１２に記載された固定具。
【００８３】
（付記Ａ１４）
前記変形部は、前記被固定物を固定した際に、前記被固定物と前記止め部との間に位置することが想定される、付記１１乃至付記Ａ１３のうちのいずれか一に記載された固定具。
【符号の説明】
【００８４】
１１ａ、１１ｂ、１１ｃ、１１ｄ、１１ｘ    固定具
２１ａ、２１ｘ    挿入部
２２ａ、２２ｘ    駆動部
７１ａ、７１ｂ    穴
７９ａａ、７９ａｂ、７９ｂａ、７９ｂｂ、７９ｃａ、７９ｃｂ、７９ｄ、７９ｅａ、７９ｅｂ    端部
８１ａ、８１ｂ、８１ｃ、８１ｄ    径
８６ａ、８６ｂ    板
９１ａ、９１ｂ、９１ｃ、９１ｅ    矢印
３７ａ、９６ａ、９６ｂ、９６ｃ、９６ｄ、９６ｅ、９６ｆ    箇所
９８ａ、９８ｂ、９８ｃ、９８ｄ    位置
２１１ａ    止め部
２１１ａａ、２１１ａｂ、２１１ｂａ、２１１ｂｂ    切欠部
２１２ａ    軸部
２１２ａａ、２１２ａｂ    弾性部
２１２ｃ    固定部
２１３ａａ、２１３ａｂ    先端部
２２１ａ    引張部
２２２ａ    輪部
２３１ａ    変形部
２４１ａ    つまみ部
【図１】
2018028355.tif 000003
【図２】
2018028355.tif 000004
【図３】
2018028355.tif 000005
【図４】
2018028355.tif 000006
【図５】
2018028355.tif 000007
【図６】
2018028355.tif 000008
【図７】
2018028355.tif 000009
【図８】
2018028355.tif 000010
【図９】
2018028355.tif 000011
【図１０】
2018028355.tif 000012
【図１１】
2018028355.tif 000013
【図１２】
2018028355.tif 000014
【図１３】
2018028355.tif 000015
【図１４】
2018028355.tif 000016
【図１５】
2018028355.tif 000017
【図１６】
2018028355.tif 000018